(57)【要約】【課題】腐食への耐性を向上し、信頼性の高い液晶表示装置を提供すること。【解決手段】液晶表示パネル１００を構成するアレイ基板２００は、  対向基板３００が対向して形成されるアクティブエリア１２０において、各画素ＰＸに配置された画素電極２３０と、  対向基板端部３００Ａより外方に延出した延出部２００Ｅにおいて、対向基板端部３００Ａと略平行なアレイ基板端部２００Ａとの間に配置された電極パッドＰＤと、  電極パッドＰＤの周縁を覆うとともに電極パッドＰＤを露出するコンタクトホールＣＨが形成された絶縁膜ＩＬと、を備え、  コンタクトホールＣＨは、その中心Ｏ２が電極パッドＰＤの中心Ｏ１よりアレイ基板端部２００Ａ側に位置するように形成されたことを特徴とする。【選択図】      図４
2009251042.tif 000002
【特許請求の範囲】
【請求項１】
第１基板と第２基板との間に液晶層を保持した構成の液晶表示パネルを備え、
前記第１基板は、
前記第２基板が対向して形成されるアクティブエリアにおいて、各画素に配置された画素電極と、
第２基板端部より外方に延出した延出部において、前記第２基板端部と略平行な第１基板端部との間に配置された電極パッドと、
前記電極パッドの周縁を覆うとともに前記電極パッドを露出するコンタクトホールが形成された絶縁膜と、を備え、
前記コンタクトホールは、その中心が前記電極パッドの中心より前記第１基板端部側に位置するように形成されたことを特徴とする液晶表示装置。
【請求項２】
さらに、前記電極パッドを介して前記液晶表示パネルに電気的に接続されたフレキシブル配線基板を備え、
前記コンタクトホールは、その全体が前記フレキシブル配線基板と重なることを特徴とする請求項１に記載の液晶表示装置。
【請求項３】
前記電極パッドの前記第２基板端部側を覆う前記絶縁膜の長さは、前記電極パッドの長さの１／４以上１／２以下であることを特徴とする請求項１に記載の液晶表示装置。
【請求項４】
前記電極パッド及び前記コンタクトホールは、前記第１基板端部と略直交する方向に延出した長方形状に形成され、
前記コンタクトホールの対角線の交点は、前記電極パッドの対角線の交点よりは、前記第１基板端部側に位置していることを特徴とする請求項１に記載の液晶表示装置。
【請求項５】
前記第１基板は、前記コンタクトホールを介して前記電極パッドと電気的に接続されるとともに前記画素電極と同一材料によって形成されたカバー電極を備えたことを特徴とする請求項１に記載の液晶表示装置。
【請求項６】
前記カバー電極は、前記電極パッドと略同一寸法に形成され、前記絶縁膜を介して前記電極パッドと重なることを特徴とする請求項５に記載の液晶表示装置。
【請求項７】
第１基板と第２基板との間に液晶層を保持した構成の液晶表示パネルを備え、
前記第１基板は、
前記第２基板が対向して形成されるアクティブエリアにおいて、各画素に配置された画素電極と、
第２基板端部より外方に延出した延出部において、前記第２基板端部と略平行な第１基板端部との間に配置された電極パッドと、
前記電極パッドの前記第１基板端部側及び前記第２基板端部側を覆うとともに前記電極パッドを露出するコンタクトホールが形成された絶縁膜と、を備え、
前記絶縁膜において、前記第２基板端部側を覆う長さは、前記第１基板端部側を覆う長さより長いことを特徴とする液晶表示装置。
【発明の詳細な説明】
【技術分野】
【０００１】
この発明は、液晶表示装置に係り、特に、フレキシブル配線基板が接続される液晶表示パネルの構造に関する。
【背景技術】
【０００２】
平面表示装置として代表的な液晶表示装置は、軽量、薄型、低消費電力などの特徴を生かして、パーソナルコンピュータやテレビなどのＯＡ機器などの表示装置として各種分野で利用されている。近年では、液晶表示装置は、携帯電話などの携帯端末機器や、カーナビゲーション装置、ゲーム機などの表示装置としても利用されている。
【０００３】
液晶表示装置は、シール材を介して貼り合わせられたアレイ基板と対向基板との間に液晶層を保持して構成された液晶表示パネルを備えている。この液晶表示パネルは、画像を表示する略矩形状のアクティブエリアを備えている。アレイ基板は、このようなアクティブエリアにおいて、絶縁基板上に絶縁膜を介して互いに交差するように配置されたゲート線及びソース線と、これらのゲート線とソース線との交差領域に配置されたスイッチング素子と、スイッチング素子と電気的に接続された画素電極と、を備えている。対向基板は、絶縁基板上に対向電極を備えている。
【０００４】
アレイ基板上において、ゲート線及びソース線は、アクティブエリアから引き出され、外部信号源（例えば、駆動ＩＣチップ、フレキシブル配線基板などの信号源）からの制御信号を入力するための電極パッド（端子部）に接続されている。この電極パッドは、アレイ基板において対向基板端部よりも外方に延出した延出部に配置されている。このような電極パッドと外部信号源とは、異方性導電膜を用いて電気的に接続される。
【０００５】
近年の液晶表示パネルにおいては、高精細化への要求に対してゲート線及びソース線といった配線数が増加する傾向にあり、しかも、小型化及び狭額縁化の要求も高まっており、わずかなスペースに多数の電極パッドを配置する必要がある。このため、電極パッドと外部信号源とを精度良く接続し、実装不良を減少させることが重要である。
【０００６】
このような課題に対して、例えば特許文献１によれば、表示部に配線を介して電気的に接続された金属層と、金属層上に形成された絶縁膜とを備えた端子部において、絶縁膜には金属層が露出されるように開口部が形成され、開口部の少なくとも最表面の面積が金属層の面積よりも大きく形成された構造を開示している。
【０００７】
また、この特許文献１においては、基板上の端子部近傍の絶縁膜が除去され、金属層の上面が露出した構造や、基板上の端子部近傍における絶縁膜の厚さが他の領域における厚さより薄い構造、金属層の下に金属層と概ね重なるようにダミーパターンを配置した構造などが開示されている。
【特許文献１】特開２００５−７０７２３号公報
【発明の開示】
【発明が解決しようとする課題】
【０００８】
狭額縁化などの要求に伴い、電極パッドは、アレイ基板におけるわずかな面積の延出部に配置され、対向基板端部に比較的接近している。このため、外部信号源、例えばフレキシブル配線基板と液晶表示パネルの電極パッドとを接続するための冶具の構造や合わせずれなどの影響により、電極パッドの全体がフレキシブル配線基板と重ならず、特に、フレキシブル配線基板と対向基板端部との間から電極パッドが露出することがある。
【０００９】
引用文献１などに記載の構造では、端子部の金属層が露出してしまい、水分の影響により腐食が発生しやすい。このため、信頼性の低下を招くおそれがある。
【００１０】
この発明は、上述した問題点に鑑みなされたものであって、その目的は、腐食への耐性を向上し、信頼性の高い液晶表示装置を提供することにある。
【課題を解決するための手段】
【００１１】
この発明の第１の態様による液晶表示装置は、
第１基板と第２基板との間に液晶層を保持した構成の液晶表示パネルを備え、
前記第１基板は、
前記第２基板が対向して形成されるアクティブエリアにおいて、各画素に配置された画素電極と、
第２基板端部より外方に延出した延出部において、前記第２基板端部と略平行な第１基板端部との間に配置された電極パッドと、
前記電極パッドの周縁を覆うとともに前記電極パッドを露出するコンタクトホールが形成された絶縁膜と、を備え、
前記コンタクトホールは、その中心が前記電極パッドの中心より前記第１基板端部側に位置するように形成されたことを特徴とする。
【００１２】
この発明の第２の態様による液晶表示装置は、
第１基板と第２基板との間に液晶層を保持した構成の液晶表示パネルを備え、
前記第１基板は、
前記第２基板が対向して形成されるアクティブエリアにおいて、各画素に配置された画素電極と、
第２基板端部より外方に延出した延出部において、前記第２基板端部と略平行な第１基板端部との間に配置された電極パッドと、
前記電極パッドの前記第１基板端部側及び前記第２基板端部側を覆うとともに前記電極パッドを露出するコンタクトホールが形成された絶縁膜と、を備え、
前記絶縁膜において、前記第２基板端部側を覆う長さは、前記第１基板端部側を覆う長さより長いことを特徴とする。
【発明の効果】
【００１３】
この発明によれば、腐食への耐性を向上し、信頼性の高い液晶表示装置を提供することができる。
【発明を実施するための最良の形態】
【００１４】
以下、この発明の一実施の形態に係る表示装置、特に液晶表示装置について図面を参照して説明する。
【００１５】
図１に示すように、液晶表示装置は、略矩形平板上の液晶表示パネル１００を備えている。すなわち、液晶表示パネル１００は、一対の基板すなわちアレイ基板（第１基板）２００及び対向基板（第２基板）３００と、アレイ基板２００と対向基板３００との間に保持された液晶層４００と、によって構成されている。これらのアレイ基板２００と対向基板３００とは、シール材１１０によって貼り合わせられ、これらの間に液晶層４００を保持するための所定のギャップを形成している。
【００１６】
液晶表示パネル１００は、シール材１１０によって囲まれた内側に、画像を表示する略矩形状のアクティブエリア１２０を備えている。すなわち、このアクティブエリア１２０は、アレイ基板２００と対向基板３００とが対向した部分に形成され、マトリクス状に配置された複数の画素ＰＸによって構成されている。
【００１７】
アレイ基板２００は、アクティブエリア１２０において、画素ＰＸの行方向に沿って延在する複数のゲート線Ｙ（１、２、３、…、ｍ）と、画素ＰＸの列方向に沿って延在する複数のソース線Ｘ（１、２、３、…、ｎ）と、各画素ＰＸにおけるソース線Ｘとゲート線Ｙとの交差部に配置されたスイッチング素子２２０と、画素ＰＸのそれぞれに配置されスイッチング素子２２０に接続された画素電極２３０と、を備えている。
【００１８】
ゲート線Ｙとソース線Ｘとは、絶縁層を介して互いに交差するように配置されている。スイッチング素子２２０は、例えばアモルファスシリコンやポリシリコンなどによって形成された半導体層を備えた薄膜トランジスタ（ＴＦＴ；Ｔｈｉｎ  Ｆｉｌｍ  Ｔｒａｎｓｉｓｔｏｒ）によって構成されている。
【００１９】
スイッチング素子２２０のゲート電極２２２は、ゲート線Ｙに接続されている（あるいは、ゲート電極２２２は、ゲート線Ｙと一体的に形成されている）。スイッチング素子２２０のソース電極２２５は、ソース線Ｘに接続されている（あるいは、ソース２２５は、ソース線Ｘと一体的に形成されている）。スイッチング素子２２０のドレイン電極２２７は、画素電極２３０に接続されている（あるいは、ドレイン電極２２７は、画素電極２３０と一体的に形成されている）。
【００２０】
対向基板３００は、アクティブエリア１２０において、複数の画素電極２３０のそれぞれに対向した対向電極３３０を備えている。
【００２１】
また、液晶表示パネル１００は、アクティブエリア１２０の外側に位置する外周部１３０に配置された接続部１３１を備えている。この接続部１３１は、信号供給源として機能するフレキシブル配線基板５００と接続可能である。図１に示した例では、接続部１３１は、対向基板３００の端部３００Ａより外方に延出したアレイ基板２００の延出部２００Ｅ上に形成されている。
【００２２】
アクティブエリア１２０に配置されたゲート線Ｙ（１、２、３、…、ｍ）のそれぞれは、外周部１３０を経由して接続部１３１に電気的に接続されている。また、ソース線Ｘ（１、２、３、…、ｎ）のそれぞれも同様に、外周部１３０を経由して接続部１３１に電気的に接続されている。
【００２３】
次に、アレイ基板２００及び対向基板３００の構造をより詳細に説明する。
【００２４】
図２に示すように、アレイ基板２００は、ガラスなどの光透過性を有する絶縁基板２１０を用いて形成される。スイッチング素子２２０のゲート電極２２２は、ゲート線Ｙなどとともに絶縁基板２１０の上に配置されている。このゲート電極２２２は、ゲート絶縁膜２４０によって覆われている。このゲート絶縁膜２４０は、例えば、窒化シリコン（Ｓｉ3Ｎ４）などによって形成されている。
【００２５】
スイッチング素子２２０の半導体層２４２は、ゲート絶縁膜２４０の上に配置されている。この半導体層２４２の一部は、ゲート絶縁膜２４０を介してゲート電極２２２と重なっている。半導体層２４２には、スイッチング素子２２０のソース電極２２５及びドレイン電極２２７がコンタクトしている。これらのソース電極２２５及びドレイン電極２２７は、パッシベーション膜２４４によって覆われている。このパッシベーション膜２４４は、例えば、窒化シリコン（Ｓｉ3Ｎ４）などによって形成されている。
【００２６】
画素電極２３０は、パッシベーション膜２４４の上において各画素ＰＸに対応して配置されている。この画素電極２３０は、パッシベーション膜２４４に形成されたコンタクトホールを介してスイッチング素子２２０のドレイン電極２２７と電気的に接続されている。
【００２７】
バックライト光を選択的に透過して画像を表示する透過型液晶表示パネルにおいては、画素電極２３０は、例えば、インジウム・ティン・オキサイド（ＩＴＯ）やインジウム・ジンク・オキサイド（ＩＺＯ）などの光透過性を有する導電材料によって形成されている。また、外光を選択的に反射して画像を表示する反射型液晶表示パネルにおいては、画素電極２３０は、例えば、アルミニウム（Ａｌ）やモリブデン（Ｍｏ）などの光反射性を有する導電材料によって形成されている。
【００２８】
対向基板３００は、ガラスなどの光透過性を有する絶縁基板３１０を用いて形成される。
【００２９】
カラー表示タイプの液晶表示装置では、液晶表示パネル１００は、アクティブエリア１２０において、複数種類の画素、例えば赤（Ｒ）を表示する赤色画素ＰＸＲ、緑（Ｇ）を表示する緑色画素ＰＸＧ、青（Ｂ）を表示する青色画素ＰＸＢを有している。
【００３０】
図２に示した実施の形態においては、対向基板３００は、アクティブエリア１２０において、絶縁基板３１０の一方の主面（液晶層と対向する面）上に、画素ＰＸ毎に配置されたカラーフィルタ層３２０(Ｒ、Ｇ、Ｂ)を備えている。これらのカラーフィルタ層３２０（Ｒ、Ｇ、Ｂ）は、赤色（Ｒ）、緑色（Ｇ）、及び青色（Ｂ）にそれぞれ着色された複数の着色樹脂によって形成されている。
【００３１】
すなわち、対向基板３００は、絶縁基板３１０上に、赤色画素ＰＸＲに対応して赤色の主波長の光を透過するように着色された樹脂からなる赤色カラーフィルタ層３２０Ｒを備え、緑色画素ＰＸＧに対応して緑色の主波長の光を透過するように着色された樹脂からなる緑色カラーフィルタ層３２０Ｇを備え、さらに、青色画素ＰＸＢに対応して青色の主波長の光を透過するように着色された樹脂からなる青色カラーフィルタ層３２０Ｂを備えている。なお、このようなカラーフィルタ層３２０（Ｒ、Ｇ、Ｂ）は、アレイ基板側に備えられていても良い。
【００３２】
対向電極３３０は、アクティブエリア１２０において、複数の画素ＰＸに対向するようにカラーフィルタ層３２０上に配置されている。この対向電極３３０は、例えばＩＴＯやＩＺＯなどの光透過性を有する導電材料によって形成されている。
【００３３】
これらのアレイ基板２００及び対向基板３００の表面は、液晶層４００に含まれる液晶分子の配向を制御するための配向膜２５０及び３５０によってそれぞれ覆われている。このようなアレイ基板２００及び対向基板３００は、それぞれの配向膜２５０及び３５０を対向した状態で配置され、シール材１１０によって貼り合わせられている。
【００３４】
シール材１１０は、略矩形状のアクティブエリア１２０を囲むようにアレイ基板２００と対向基板３００との間に配置される。すなわち、シール材１１０は、例えば熱硬化性樹脂や紫外線硬化性樹脂などの樹脂材料によって形成され、液晶表示パネル１００を構成する一方の基板、例えばアレイ基板２００のアクティブエリア１２０を囲むように塗布される。その後、他方の基板、例えば対向基板３００をアレイ基板２００に対向配置した状態で、一対の基板を貼り合わせる方向に加圧しながら加熱するあるいは紫外線を照射する。これにより、シール材１１０が硬化し、アレイ基板２００と対向基板３００とが貼り合わせられる。
【００３５】
液晶層４００は、アレイ基板２００と対向基板３００とのギャップに封止された液晶組成物によって形成されている。液晶層４００は、シール材１１０によって規定された注入口から液晶組成物を注入した後に封止剤によって封止することによって形成しても良いし、アレイ基板２００と対向基板３００とを貼り合わせる前にシール材１１０によって囲まれた内側に液晶組成物を滴下して形成しても良い。
【００３６】
アレイ基板２００及び対向基板３００の外面には、それぞれ光学素子２６０及び３６０が設けられている。これらの光学素子２６０及び３６０は、液晶層４００の特性に合わせて偏光方向を設定した偏光板などを含んでいる。
【００３７】
次に、接続部１３１の構成についてより詳細に説明する。
【００３８】
すなわち、図３に示すように、接続部１３１は、アレイ基板２００において対向基板端部３００Ａより外方に延出した延出部２００Ｅに配置されている。この接続部１３１は、複数の電極パッドＰＤを備えて構成されている。つまり、電極パッドＰＤは、延出部２００Ｅにおいて、方向Ｈに略平行な対向基板端部３００Ａと、この対向基板端部３００Ａに略平行なアレイ基板端部２００Ａとの間に配置されている。
【００３９】
電極パッドＰＤのそれぞれは、外周部１３０に引き出されたゲート線Ｙやソース線Ｘと電気的に接続されている。各電極パッドＰＤは、アレイ基板端部２００Ａと略直交する方向Ｖに延出した形状である。これらの電極パッドＰＤは、アレイ基板端部２００Ａが延びた方向と略平行な方向Ｈに沿って一列に並んでおり、しかも、隣接する各電極パッドＰＤの中心Ｏ１が同一直線上に位置するように配置されている。
【００４０】
この実施の形態においては、図４乃至図６に示すように、電極パッドＰＤは、絶縁基板２１０の上に配置され、ゲート線Ｙなどと同一材料によって形成されている。この電極パッドＰＤの周縁は、絶縁膜ＩＬによって覆われている。この絶縁膜ＩＬは、ゲート絶縁膜２４０と同一材料によって形成されても良いし、パッシベーション膜２４４と同一材料によって形成されても良いし、ゲート絶縁膜２４０とパッシベーション膜２４４との積層体によって形成されても良い。
【００４１】
この絶縁膜ＩＬには、電極パッドＰＤを露出するコンタクトホールＣＨが形成されている。このようなコンタクトホールＣＨは、例えば、画素電極２３０とドレイン電極２２７とを電気的に接続するコンタクトホールと同一工程で形成可能である。
【００４２】
各電極パッドＰＤに対応して形成されたコンタクトホールＣＨは、電極パッドＰＤと同様に方向Ｖに延出した形状である。また、これらのコンタクトホールＣＨは、方向Ｈに沿って一列に並んでおり、しかも、各コンタクトホールＣＨの中心Ｏ２が同一直線上に位置するように配置されている。
【００４３】
このようなコンタクトホールＣＨは、その中心Ｏ２が電極パッドＰＤの中心Ｏ１よりアレイ基板端部２００Ａ側に位置するように形成されている。すなわち、コンタクトホールＣＨの中心Ｏ２は、電極パッドＰＤの中心Ｏ１よりもアレイ基板端部２００Ａ側に偏心している（decentering）。
【００４４】
図４などに示した例では、電極パッドＰＤのそれぞれは、方向Ｖに平行な長辺を有し、方向Ｈに短辺を有する長方形状に形成されている。長辺の長さＬ１は、例えば９００〜１１００μｍであり、短辺の長さＳ１は、例えば２００μｍ程度である。このような形状の電極パッドＰＤについて、中心Ｏ１は、対角線の交点に相当する。なお、電極パッドＰＤが他の形状である場合、その中心Ｏ１は、電極パッドＰＤの幾何学的外形の中心に相当する。
【００４５】
また、コンタクトホールＣＨのそれぞれは、方向Ｖに平行な長辺を有し、方向Ｈに短辺を有する長方形状に形成されている。長辺の長さＬ２は、例えば４６０〜６６０μｍであり、短辺の長さＳ２は、例えば１８０μｍ程度である。このような形状のコンタクトホールＣＨについて、中心Ｏ２は、対角線の交点に相当する。つまり、コンタクトホールＣＨの対角線の交点（Ｏ２）は、電極パッドＰＤの対角線の交点（Ｏ１）よりは、アレイ基板端部２００Ａ側に位置している。なお、コンタクトホールＣＨが他の形状である場合、その中心Ｏ２は、コンタクトホールＣＨの幾何学的外形の中心に相当する。
【００４６】
ここに示した例では、絶縁膜ＩＬは、電極パッドＰＤの全周縁を覆っている。すなわち、絶縁膜ＩＬは、方向Ｈについて、電極パッドＰＤのコンタクトホールＣＨを挟んだ両側の周縁をそれぞれ約１０μｍの幅で覆っている。また、絶縁膜ＩＬは、方向Ｖについて、コンタクトホールＣＨを挟んで電極パッドＰＤのアレイ基板端部２００Ａ側及び対向基板端部３００Ａ側を覆っている。
【００４７】
このような絶縁膜ＩＬにおいて、対向基板端部３００Ａ側を覆う長さＬ３は、アレイ基板端部２００Ａ側を覆う長さＬ４より長い。例えば、Ｌ３は４００μｍ程度であり、Ｌ４は１０μｍ程度である。
【００４８】
このような構成の電極パッドＰＤを介して液晶表示パネル１００にフレキシブル配線基板５００を電気的に接続する際には、フレキシブル配線基板５００側のそれぞれの端子が異方性導電膜などを介して電極パッドＰＤにそれぞれ接続される。これにより、フレキシブル配線基板５００は、信号源から出力される駆動信号（すなわち、映像信号や電源などの画素ＰＸの駆動に必要な各種信号）を液晶表示パネル１００に供給することが可能となる。
【００４９】
このようなフレキシブル配線基板５００は、接続部１３１からアレイ基板端部２００Ａを越えて外方に延出している。このため、延出部２００Ｅにおいて、フレキシブル配線基板５００と対向基板端部３００Ａとの間には隙間ができやすく、一方で、アレイ基板端部２００Ａの側は、フレキシブル配線基板５００と重なっている。
【００５０】
このような実施の形態によれば、冶具の構造や合わせずれなどの影響を受けてフレキシブル配線基板５００と対向基板端部３００Ａとの間から電極パッドＰＤの一部が露出したとしても、この露出部分の電極パッドＰＤは絶縁膜ＩＬに覆われている。つまり、コンタクトホールＣＨは、その全体がフレキシブル配線基板５００と重なるように形成されている。
【００５１】
このため、電極パッドＰＤが外気に触れることがなく、水分の影響を受けにくくなる。したがって、腐食への耐性を向上することが可能となる。つまり、時間の経過に伴った腐食の発生を抑制することが可能となり、信頼性の高い液晶表示装置を提供することが可能となる。
【００５２】
また、狭額縁化などの要求に伴って、電極パッドＰＤが対向基板端部３００Ａに比較的接近していたとしても、冶具の構造や合わせずれ、フレキシブル配線基板５００を接続する目標位置などを考慮して、電極パッドＰＤの対向基板端部３００Ａ側を覆う絶縁膜ＩＬの長さＬ３を設定すれば良く、電極パッドＰＤの長さＬ１の１／４以上１／２以下に設定することが望ましい。
【００５３】
例えば、図７に示すように、フレキシブル配線基板５００を接続する目標位置ＲＥＦに対して、合わせずれのマージンが±２００μｍ（すなわち、アレイ基板端部２００Ａ側及び対向基板端部３００Ａ側にそれぞれ２００μｍ）である場合には、Ｌ３は、４００μｍより大きく設定することが望ましい。
【００５４】
これにより、たとえ電極パッドＰＤが対向基板端部３００Ａに接近していたとしても、電極パッドＰＤの対向基板端部３００Ａ側が絶縁膜ＩＬによって覆われるため、フレキシブル配線基板５００から露出することがなくなる。
【００５５】
図５及び図６に示した例では、アレイ基板２００は、カバー電極ＣＤを備えている。このカバー電極ＣＤは、絶縁膜ＩＬの上に配置され、コンタクトホールＣＨを介して電極パッドＰＤと電気的に接続されている。また、このカバー電極ＣＤは、画素電極２３０と同一材料、例えばＩＴＯによって形成されている。
【００５６】
このため、電極パッドＰＤの露出をさらに抑制することが可能である。また、ＩＴＯなどの酸化物導電材料は、比較的耐腐食性が高いため、電極パッドＰＤの腐食を抑制するのに効果的である。
【００５７】
このカバー電極ＣＤは、電極パッドＰＤと略同一寸法に形成され、絶縁膜ＩＬを介して電極パッドＰＤと重なっている。つまり、図４などに示した例において、カバー電極ＣＤは、電極パッドＰＤの長辺Ｌ１と略同一長さの長辺と、短辺Ｓ１と略同一長さの短辺とを有する略長方形状に形成され、隣接する電極パッドＰＤに対応するカバー電極ＣＤとは分離されている。
【００５８】
このような構成においては、カバー電極ＣＤを介してフレキシブル配線基板５００と電極パッドＰＤとが電気的に接続される。コンタクトホールＣＨは、接続抵抗の増大を抑制するために、大きく形成することが望ましいが、このような構成であっても、カバー電極ＣＤによるカバー不良（コンタクトホールＣＨの段差での膜切れなど）によって水分が浸入する恐れもあるため、コンタクトホールＣＨの全体がフレキシブル配線基板５００と重なるように形成されている。
【００５９】
つまり、電極パッドＰＤとカバー電極ＣＤとの間の絶縁膜ＩＬは、フレキシブル配線基板５００から電極パッドＰＤを露出しないように形成されている。これにより、電極パッドＰＤの腐食への耐性を向上させることが可能となる。
【００６０】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００６１】
上述した実施の形態では、アレイ基板側の画素電極と対向基板側の対向電極との間に形成される縦電界を主に利用して液晶層に含まれる液晶分子を駆動するモードを例に説明したが、一方の基板側に画素電極と対向電極とを備え、基板面と略平行な横電界を主に利用して液晶分子を駆動するモードの液晶表示パネルに対しても、上述した構成を適用可能である。
【００６２】
また、上述した実施の形態において説明した液晶表示装置は、カラー表示タイプであったが、カラーフィルタ層を省略したモノクロ表示タイプであっても良い。また、この実施の形態にかかる液晶表示装置は、透過型の液晶表示パネルを備えたものでも良いし、反射型の液晶表示パネルを備えたものであっても良いし、さらに、各画素が反射部及び透過部を有するような半透過型の液晶表示パネルを備えた構成であっても良い。
【図面の簡単な説明】
【００６３】
【図１】図１は、この発明の一実施の形態に係る液晶表示装置の液晶表示パネルの構成を概略的に示す図である。
【図２】図２は、図１に示した液晶表示パネルの構成を概略的に示す断面図である。
【図３】図３は、図１に示した液晶表示パネルにおける接続部を配置した延出部の構造を概略的に示す平面図である。
【図４】図４は、図３に示した接続部における電極パッドを拡大した平面図である。
【図５】図５は、図４に示したＶ−Ｖ線で切断した液晶表示パネルの断面構造を概略的に示す図である。
【図６】図６は、図４に示したＶＩ−ＶＩ線で切断した液晶表示パネルの断面構造を概略的に示す図である。
【図７】図７は、フレキシブル配線基板を電極パッドに接続するための目標位置とマージンとの関係を説明するための図である。
【符号の説明】
【００６４】
１００…液晶表示パネル
ＰＸ…画素  Ｙ…ゲート線  Ｘ…ソース線
１２０…アクティブエリア  １３１…接続部
２００…アレイ基板  ２００Ａ…アレイ基板端部  ２００Ｅ…延出部
２１０…絶縁基板  ２３０…画素電極
３００…対向基板  ３００Ａ…対向基板端部
３１０…絶縁基板  ３３０…対向電極
４００…液晶層
ＰＤ…電極パッド  Ｏ１…中心
ＩＬ…絶縁膜  ＣＤ…カバー電極
ＣＨ…コンタクトホール  Ｏ２…中心
５００…フレキシブル配線基板
【図１】
2009251042.tif 000003
【図２】
2009251042.tif 000004
【図３】
2009251042.tif 000005
【図４】
2009251042.tif 000006
【図５】
2009251042.tif 000007
【図６】
2009251042.tif 000008
【図７】
2009251042.tif 000009